(57)【特許請求の範囲】
【請求項１】
磁石と、内ヨークと、該内ヨークの両側端面に対向する第１外ヨークと第２外ヨークとが、前記内ヨークと前記第１外ヨークとの間に第１磁気ギャップが形成されるとともに前記内ヨークと前記第２外ヨークとの間に第２磁気ギャップが形成されるように組み立てられた磁気回路と、
第１平面ボイスコイル部と、該第１平面ボイスコイル部に平行に配置される第２平面ボイスコイル部とが、前記第１平面ボイスコイル部の一端部と前記第２平面ボイスコイル部の対応する端部とを連結する第１連結部材と、前記第１平面ボイスコイル部の他端部と前記第２平面ボイスコイル部の対応する端部とを連結する第２連結部材とによって一体化された構造となるボイスコイルユニットと、
前記第１連結部材に固定されて前記ボイスコイルユニットを弾性支持する第１ダンパーと、
前記第２連結部材に固定されて前記第１ダンパーとともに前記ボイスコイルユニットを弾性支持する第２ダンパーと、
前記第１平面ボイスコイル部が前記第１磁気ギャップに位置するとともに前記第２平面ボイスコイル部が前記第２磁気ギャップに位置する状態で前記第１ダンパーを振動可能に固定支持する第１固定支持部材と、
前記状態で前記第２ダンパーを振動可能に支持する第２固定支持部材とを有し、
前記ボイスコイルユニットの前記磁気回路内での振動により振動板を振動させるようにしたスピーカ装置。
【請求項２】
前記第１固定支持部材及び前記第２固定支持部材のそれぞれは、前記内ヨークと前記第１外ヨーク及び前記第２外ヨークとを、前記内ヨークと前記第１外ヨークとの間に前記第１平面ボイスコイル部が位置する前記第１磁気ギャップが形成されるとともに前記内ヨークと前記第２外ヨークとの間に前記第２平面ボイスコイル部が位置する前記第２磁気ギャップが形成されるように位置決めする位置決め部を有する請求項１記載のスピーカ装置。
【請求項３】
前記内ヨークは、第１内ヨーク及び第２内ヨークを有し、
前記磁気回路は、前記磁石が前記第１内ヨークと前記第２内ヨークとに挟まれ、前記第１内ヨーク及び前記第２内ヨークそれぞれの一方端面と前記第１外ヨークとの間に前記第１磁気ギャップが形成されるとともに、前記第１内ヨーク及び前記第２内ヨークそれぞれの他端面と前記第２外ヨークとの間に前記第２磁気ギャップが形成された構造となり、
前記第１固定支持部材は、前記第１ダンパーの両端部を挟んで固定する２つの第１固定支持部材部分を有し、
前記第２固定支持部材は、前記第２ダンパーの両端部を挟んで固定する２つの第２固定支持部材部分を有する請求項１記載のスピーカ装置。
【請求項４】
２つの前記第１固定支持部材部分の一方及び２つの前記第２固定支持部材部分の一方のそれぞれは、前記第１内ヨークと前記第１外ヨーク及び前記第２外ヨークとを、前記第１内ヨークと前記第１外ヨークとの間に前記第１平面ボイスコイル部が位置する前記第１磁気ギャップの一部が形成されるとともに、前記第１内ヨークと前記第２外ヨークとの間に前記第２平面ボイスコイル部が位置する前記第２磁気ギャップの一部が形成されるように位置決めする第１部分位置決め部を有し、
２つの前記第１固定支持部材部分の他方及び２つの前記第２固定支持部材部分の他方のそれぞれは、前記第２内ヨークと前記第１外ヨーク及び前記第２外ヨークとを、前記第２内ヨークと前記第１外ヨークとの間に前記第１平面ボイスコイル部が位置する前記第１磁気ギャップの一部が形成されるとともに、前記第２内ヨークと前記第２外ヨークとの間に前記第２平面ボイスコイル部が位置する前記第２磁気ギャップの一部が形成されるように位置決めする第２部分位置決め部を有する請求項３記載のスピーカ装置。
【発明の詳細な説明】
【技術分野】
【０００１】
本発明は、平面状のボイスコイルを用いたスピーカ装置に関する。
【背景技術】
【０００２】
従来、特許文献１に記載されるスピーカが知られている。このスピーカは、平面状のボイスコイルの両端面にダンパーが接着固定されて、その両端面に固定されたダンパーによって弾性支持される平面状のボイスコイルがスリット状の磁気ギャップに配置された構造となっている。このような構造のスピーカでは、平面状のボイスコイルに流れる音声信号電流と磁気ギャップに形成される磁界との相互作用によってボイスコイルに連結される振動板が振動し、前記音声電流信号に対応した音が出力される。
【先行技術文献】
【特許文献】
【０００３】
【特許文献１】特開２００２−２２３４９６号公報
【発明の概要】
【発明が解決しようとする課題】
【０００４】
ところで、２つの平面状のボイスコイルを用いて振動板を振動させるスピーカ装置が考えられている。この場合、前述した従来のスピーカと同様に、２つの平面状のボイスコイルを個々的にダンパーによって弾性支持する構造では、２つのボイスコイルが異なるダンパーによって弾性支持されるので、その２つのボイスコイルをバランスよく振動させることが難しい。また、２つの平面状のボイスコイルを個々的に磁気ギャプ内に位置合わせを行わなければならないので、その位置合わせ作業が煩わしい。
【０００５】
本発明は、このような事情に鑑みてなされたもので、２つの平面状のボイスコイルのそれぞれを容易に対応する磁気ギャップに位置合わせすることが可能であるとともに、その２つの平面状のボイスコイルをバランス良く振動させることのできる構造のスピーカ装置を提供するものである。
【課題を解決するための手段】
【０００６】
本発明に係るスピーカ装置は、磁石と、内ヨークと、該内ヨークの両側端面に対向する第１外ヨークと第２外ヨークとが、前記内ヨークと前記第１外ヨークとの間に第１磁気ギャップが形成されるとともに前記内ヨークと前記第２外ヨークとの間に第２磁気ギャップが形成されるように組み立てられた磁気回路と、第１平面ボイスコイル部と、該第１平面ボイスコイル部に平行に配置される第２平面ボイスコイル部とが、前記第１平面ボイスコイル部の一端部と前記第２平面ボイスコイル部の対応する端部とを連結する第１連結部材と、前記第１平面ボイスコイル部の他端部と前記第２平面ボイスコイル部の対応する端部とを連結する第２連結部材とによって一体化された構造となるボイスコイルユニットと、前記第１連結部材に固定されて前記ボイスコイルユニットを弾性支持する第１ダンパーと、前記第２連結部材に固定されて前記第１ダンパーとともに前記ボイスコイルユニットを弾性支持する第２ダンパーと、前記磁気回路と前記ボイスコイルユニットとが、前記第１平面ボイスコイル部が前記第１磁気ギャップに位置するとともに前記第２平面ボイスコイル部が前記第２磁気ギャップに位置する状態で、前記第１ダンパーを振動可能に固定支持する第１固定支持部材と、前記磁気回路と前記ボイスコイルユニットが前記状態で、前記第２ダンパーを振動可能に支持する第２固定支持部材とを有し、前記ボイスコイルユニットの前記磁気回路内での振動により振動板を振動させるように構成される。
【０００７】
このような構成により、第１平面ボイスコイル部と第２平面ボイスコイル部とが第１連結部材と第２連結部材とによって所定間隔に維持された状態でボイスコイルユニットとして一体化され、第１固定支持部材が前記第１連結部材に固定された第１ダンパーを振動可能に固定支持するとともに第２固定支持部材が前記第２連結部材に固定された第２ダンパーを振動可能に固定支持することで、前記第１平面ボイスコイル部が磁気回路の第１磁気ギャップに配置されるとともに第２平面ボイスコイル部が磁気回路の第２磁気ギャップに配置される。
【０００８】
本発明に係るスピーカ装置において、前記第１固定支持部材及び前記第２固定支持部材のそれぞれは、前記内ヨークと前記第１外ヨーク及び前記第２外ヨークとを、前記内ヨークと前記第１外ヨークとの間に前記第１平面ボイスコイル部が位置する前記第１磁気ギャップが形成されるとともに前記内ヨークと前記第２外ヨークとの間に前記第２平面ボイスコイル部が位置する前記第２磁気ギャップが形成されるように位置決めする位置決め部を有する構成とすることができる。
【０００９】
このような構成により、第１平面ボイスコイル部と第２平面ボイスコイル部とを連結する第１連結部材に固定される第１ダンパーを振動可能に固定支持する第１固定支持部材及び前記第１平面ボイスコイル部と前記第２平面ボイスコイル部とを連結する第２連結部材に固定される第２ダンパーを振動可能に固定支持する第２固定支持部材によって、内ヨークと第１外ヨーク及び第２外ヨークとが、前記内ヨークと前記第１外ヨークとの間に前記第１平面ボイスコイル部が位置する第１磁気ギャップが形成されるとともに前記内ヨークと前記第２外ヨークとの間に前記第２平面ボイスコイル部が位置する第２磁気ギャップが形成されるように位置決めされるようになる。
【００１０】
また、本発明に係るスピーカ装置において、前記内ヨークが第１内ヨーク及び第２内ヨークを有する場合、更に、前記磁気回路は、前記磁石が前記第１内ヨークと前記第２内ヨークとに挟まれ、前記第１内ヨーク及び前記第２内ヨークそれぞれの一方端面と前記第１外ヨークとの間に前記第１磁気ギャップが形成されるとともに、前記第１内ヨーク及び前記第２内ヨークそれぞれの他端面と前記第２外ヨークとの間に前記第２磁気ギャップが形成された構造となり、前記第１固定支持部材は、前記第１ダンパーの両端部を挟んで固定する２つの第１固定支持部材部分を有し、前記第２固定支持部材は、前記第２ダンパーの両端部を挟んで固定する２つの第２固定支持部材部分を有する構成とすることができる。
【００１１】
また、この場合、２つの前記第１固定支持部材部分の一方及び２つの前記第２固定支持部材部分の一方のそれぞれは、前記第１内ヨークと前記第１外ヨーク及び前記第２外ヨークとを、前記第１内ヨークと前記第１外ヨークとの間に前記第１平面ボイスコイル部が位置する前記第１磁気ギャップの一部が形成されるとともに、前記第１内ヨークと前記第２外ヨークとの間に前記第２平面ボイスコイル部が位置する前記第２磁気ギャップの一部が形成されるように位置決めする第１部分位置決め部を有し、２つの前記第１固定支持部材部分の他方及び２つの前記第２固定支持部材部分の他方のそれぞれは、前記第２内ヨークと前記第１外ヨーク及び前記第２外ヨークとを、前記第２内ヨークと前記第１外ヨークとの間に前記第１平面ボイスコイル部が位置する前記第１磁気ギャップの一部が形成されるとともに、前記第２内ヨークと前記第２外ヨークとの間に前記第２平面ボイスコイル部が位置する前記第２磁気ギャップの一部が形成されるように位置決めする第２部分位置決め部を有する構成とすることができる。
【発明の効果】
【００１２】
本発明に係るスピーカ装置によれば、第１平面ボイスコイル部と第２平面ボイスコイル部とが第１連結部材と第２連結部材とによって所定間隔に維持された状態でボイスコイルユニットとして一体化されるので、前記第１平面ボイスコイル部と前記第２平面ボイスコイル部との間隔（第１連結部材及び第２連結部材の長さに対応）を磁気回路における内ヨークと第１外ヨーク及び第２外ヨークとによって形成される第１磁気ギャップと第２磁気ギャップとの間隔に合うように設定することにより、２つの平面状のボイスコイルのそれぞれを容易に対応する磁気ギャップ（第１磁気ギャップ及び第２磁気ギャップ）に位置合わせすることができる。また、ボイスコイルユニットとして一体となる第１平面ボイスコイル部と第２平面ボイスコイル部とが、共通の第１ダンパー及び第２ダンパーによって弾性支持され、その第１ダンパー及び第２ダンパーが第１固定支持部材及び第２固定支持部材によって振動可能に固定支持されるので、その２つの平面状のボイスコイル（第１平面ボイスコイル部及び第２平面ボイスコイル部）をバランス良く振動させるこができる。
【図面の簡単な説明】
【００１３】
【図１】本発明の実施の形態に係るスピーカ装置の外観を示す斜視図である。
【図２】図１に示すスピーカ装置のＡ面でのＡａ−Ａａ矢視断面を示す断面図である。
【図３】第２内ヨークの構造を示す斜視図である。
【図４】磁石板を示す斜視図である。
【図５】第１内ヨークの構造を示す斜視図である。
【図６】第１外ヨーク及び第２外ヨークを対にして示す斜視図である。
【図７】エッジ部材が接合した状態の振動板を示す斜視図である。
【図８Ａ】スペーサエレメントの構造を示す斜視図である。
【図８Ｂ】スペーサエレメントを示す平面図である。
【図９】２つのスペーサエレメントにて構成される第１固定支持部材及び第２固定支持部材を示す斜視図である。
【図１０】ボイスコイルユニットの構造を示す斜視図である。
【図１１】ボイスコイルユニットに第１ダンパー及び第２ダンパーがセットされた状態を示す斜視図である。
【図１２】ボイスコイルユニットの第１連結バーに第１ダンパーが固定され、第２連結バーに第２ダンパーが固定された状態を示す斜視図である。
【図１３】ボイスコイルユニットの第１連結バーに第１ダンパーが固定された状態を拡大して示す部分斜視図である。
【図１４】第１内ヨーク、磁石板及び第２内ヨークを組み合わせた状態を示す斜視図である。
【図１５】図１４に示す組み合わせ体における第１内ヨークの位置決め突起間に第１固定支持部材及び第２支持固定部材のそれぞれを構成するスペーサエレメント（第１固定支持部材部分、第２固定支持部材部分）がセットされた状態を示す斜視図である。
【図１６】図１５に示す第１内ヨーク、磁石板、第２内ヨーク及び２つのスペーサエレメントの組み合わせ体に図１２に示すように第１ダンパー及び第２ダンパーの固定されたボイスコイルユニットをセットした状態を示す斜視図である。
【図１７】ボイスコイルユニットの第１連結バーに固定された第１ダンパーが第１固定支持部材を構成するスペーサエレメントにセットされた状態を拡大して示す一部切欠き部分斜視図である。
【図１８】図１６に示す組み合わせ体における第２内ヨークの位置決め突起間に第１固定支持部材及び第２固定支持部材のそれぞれを構成する他のスペーサエレメント（第１固定支持部材部分、第２固定支持部材部分）がセットされた状態を示す斜視図である。
【図１９】ボイスコイルユニットの第１連結バーに固定された第１ダンパーが第１固定支持部材を構成する２つのスペーサエレメントにより固定支持された状態を拡大して示す一部切欠き部分斜視図である。
【図２０】図１８に示す組み合わせ体に第１外ヨーク及び第２外ヨークをセットした状態を示す斜視図である。
【図２１】図２０に示す組み合わせ体のＢ面でのＢｂ−Ｂｂ矢視断面を示す断面図である。
【図２２】図２０に示す組み合わせ体のＣ面でのＣｃ−Ｃｃ矢視断面を示す断面図である。
【図２３】図２０に示す組み合わせ体における第１固定支持部材、第２内ヨーク、第１外ヨーク、第２外ヨーク、第１平面ボイスコイル部、第２平面ボイスコイル部、第１磁気ギャップ及び第２磁気ギャップ等の位置関係を拡大して示す部分斜視図である。
【図２４】ボイスコイルユニットの第１連結バーに固定された第１ダンパーが第１固定支持部材を構成する２つのスペーサエレメントにより固定支持されるとともに、それら２つのスペーサエレメントにより位置決めされた第１内ヨーク及び第１外ヨークの状態を拡大して示す一部切欠き部分斜視図である。
【発明を実施するための形態】
【００１４】
以下、本発明の実施の形態について図面を用いて説明する。
【００１５】
本発明の実施の形態に係るスピーカ装置は、図１及び図２に示すように構成されている。なお、図１はスピーカ装置１０の外観を示し、図２は、図１に示すスピーカ装置１０のＡ面でのＡａ−Ａａ矢視断面を示している。
【００１６】
図１及び図２に示す構造のスピーカ装置１０は、角形のスピーカ装置であって、図３乃至図９に示す部品、及び図１０乃至図１３に示すように組み立てられるボイスコイルユニット１８、第１ダンパー２５及び第２ダンパー２６により構成されている。
【００１７】
図３は第２内ヨーク１３を示し、図５は第１内ヨーク１１を示しており、これら第１ヨーク１１及び第２ヨーク１３は同じ構造となっている。第１内ヨーク１１（第２内ヨーク１３）は、矩形形状の鉄製板であって、ヨーク本体１１０（１３０）の長手方向の一方端部に所定間隔をもって配置される２つの位置決め突起１１１、１１２（１３１、１３２）が形成されるとともに他方端部にも当該所定間隔をもって配置される２つの位置決め突起１１３、１１４（１３３、１３４）が形成されている。図４に示す磁石板１２は、第１内ヨーク１１及び第２内ヨーク１３のそれぞれのヨーク本体１１０、１３０の板面より僅かに小さい面積の板面を有する矩形板状に形成されている。図６に示す第１外ヨーク１４及び第２外ヨーク１５のそれぞれは、矩形形状の鉄製板であって、前述した第１内ヨーク１１、第２内ヨーク１３及び磁石板１２とともに磁気回路を構成する。図７に示す振動板２０は、樹脂、金属あるいは紙等の材料で形成され、僅かに湾曲した形状となっている。振動板２０の両端縁には湾曲した形状のエッジ部材１９ａ、１９ｂの一端縁が接合されている。
【００１８】
図８Ａ及び図８Ｂは、スペーサエレメント１６を示しており、このスペーサエレメント１６は、例えば、樹脂等の非磁性体で形成され、所定の幅Ｌ１の内ヨーク位置決め部１６１と該幅Ｌ１より大きい所定の幅Ｌ２の外ヨーク位置決め部１６３を有している。内ヨーク位置決め部１６１の前記幅Ｌ１は、前述した第１内ヨーク１１（図５参照）及び第２内ヨーク１３（図３参照）それぞれにおける２つの位置決め突起（１１１、１１２）、（１１３、１１４）、（１３１、１３２）、（１３３、１３４）の間隔に対応している。また、外ヨーク位置決め部１６３の前記幅Ｌ２は、磁気回路における第１外ヨーク１４及び第２外ヨーク１５（図６参照）の配置間隔に対応する。そして、後述するように、磁気回路において形成すべき２つの磁気ギャップＧｐ１、Ｇｐ２（図２参照）の間隔に基づいて前記幅Ｌ１、Ｌ２が設定される。スペーサエレメント１６の内ヨーク位置決め部１６１の外ヨーク位置決め部１６３と逆側の端縁部から当該内ヨーク位置決め部１６１の面から第１押え部１６２が突出している。また、スペーサエレメント１６の外ヨーク位置決め部１６３の内ヨーク位置決め部１６１と逆側の端縁部から当該外ヨーク位置決め部１６３の面から第２押え部１６４が突出している。第１押え部１６２と第２押え部１６４とは同じ高さに設定されている。
【００１９】
図８Ａ及び図８Ｂに示す構造の２つのスペーサエレメント１６（以下、２つの参照番号１６ａ１、１６ａ２とする）は、図９に示すように、第１押え部１６２、１６２を合わせるとともに第２押え部１６４、１６４を合わせるようにして、後述するボイスコイルユニット１８に一体化された第１ダンパー２５を固定支持する第１固定支持部材１６０ａとして用いられる。また、他の２つのスペーサエレメント１６（以下、２つの参照番号１６ｂ１、１６ｂ２とする）も、同様に、第１押え部１６２、１６２を合わせるとともに第２押え部１６４、１６４を合わせるようにして、ボイスコイルユニット１８に一体化された第２ダンパー２６を固定支持する第２固定支持部材１６０ｂとして用いられる。
【００２０】
ボイスコイルユニット１８は、図１０乃至図１３に示すように、第１ダンパー２５及び第２ダンパー２６とともに組み立てられる。
【００２１】
図１０において、ボイスコイルユニット１８は、第１コイル線パターン１８３の形成された第１平面ボイスコイル部１８１と、第２コイル線パターン１８４の形成された第２平面ボイスコイル部１８２とが平行に配置された構造となっている。第１平面ボイスコイル部１８１の一端部に形成された凹部に細角柱形状のバー部材１８５ａの一端部が接着等により固定されるとともに第２平面ボイスコイル部１８２の対応する端部に形成された凹部（図示されず）にそのバー部材１８５ａの他端部が接着等により固定される。また、第１平面ボイスコイル部１８１の他端部に形成された凹部に細角柱形状のバー部材１８６ａの一端部が接着等により固定されるとともに第２平面ボイスコイル部１８２の対応する端部に形成された凹部（図示されず）にそのバー部材１８６ａの他端部が接着等により固定さる。
【００２２】
次いで、図１１に示すように、一方のバー部材１８５ａに当該バー部材１８５ａを横切るように配置される第１ダンパー２５の中央部が接着固定される。また、他方のバー部材１８６ａにも当該バー部材１８６ａを横切るように配置される第２ダンパー２６の中央部が接着固定される。
【００２３】
更に、図１２に示すとともに図１３に拡大して示すように、細角柱形状のバー部材１８５ｂが、その両端部が、第１ダンパー２５の配置されたバー部材１８５ａの両端部が固定される第１平面ボイスコイル部１８１の凹部及び第２平面ボイスコイル１８２の凹部に固定された状態で、バー部材１８５ａに重なるように接着固定される。また、同様に、細角柱形状のバー部材１８６ｂが、その両端部が、第２ダンパー２６の配置されたバー部材１８６ａの両端部が固定される第１平面ボイスコイル部１８１の凹部及び第２平面ボイスコイル１８２の凹部に固定された状態で、バー部材１８６ａに重なるように接着固定される。これにより、図１２に示すように、ボイスコイルユニット１８は、平行に配置される第１平面ボイスコイル部１８１と第２平面ボイスコイル部１８２とが、２つのバー部材１８５ａ、１８５ｂで構成される第１連結バー１８５と、２つのバー部材１８６ａ、１８６ｂで構成される第２連結バー１８６とによって連結された構造となる。そして、それら第１連結バー１８５及び第２連結バー１８６に第１ダンパー２５及び第２ダンパー２６が固定されることにより、ボイスコイルユニット１８と第１ダンパー２５及び第２ダンパー２６とが一体化される。
【００２４】
スピーカ装置１０は次のようにして組み立てられる。
【００２５】
図１４に示すように、第１内ヨーク１１、磁石板１２及び第２内ヨーク１３が、第１内ヨーク１１と第２内ヨーク１３とによって磁石板１２が挟まれるように重ねられる。なお、このとき、磁石板１２は消磁の状態にある。次いで、図１５に示すように、第１内ヨーク１１の一方端部に形成された２つの位置合わせ突起１１１、１１２の間に、スペーサエレメント１６ａ１の内ヨーク位置決め部１６１が、当該２つの位置合わせ突起１１１、１１２の先端に外ヨーク位置決め部１６３が突き当たるまで嵌め込まれる。また、同様に、第１内ヨーク１１の他方端部に形成された２つの位置合わせ突起１１３、１１４の間に、スペーサエレメント１６ｂ１が、当該位置合わせ突起１１３、１１４の先端に外ヨーク位置決め部１６３が突き当たるまで嵌め込まれる。
【００２６】
そして、図１６に示すように、図１５に示す第１内ヨーク１１、第２内ヨーク１３、磁石板１２及び２つのスペーサエレメント１６ａ１、１６ｂ１の組み立て体に対して、図１２に示すように第１ダンパー２５及び第２ダンパー２６が一体となったボイスコイルユニット１８が組付けられる。具体的には、図１６とともに図１７に拡大して示すように、第１平面ボイスコイル部１８１と第２平面ボイスコイル部１８２とを連結する第１連結バー１８５にその中央部が固定された第１ダンパー２５の一端部がスペーサエレメント１６ａ１の第１押え部１６２に接着固定されるともに、第１ダンパー２５の他端部がスペーサエレメント１６ａ１の第２押え部１６４に接着固定される。同様にして、第１平面ボイスコイル部１８１と第２平面ボイスコイル部１８２とを連結する第２連結バー１８６にその中央部が固定された第２ダンパー２６の両端部がスペーサエレメント１６ｂ１の第１押え部１６２及び第２押え部１６４に接着固定される。
【００２７】
更に、図１８に示すように、第２内ヨーク１３の一方端部に形成された２つの位置合わせ突起１３１、１３２の間に、スペーサエレメント１６ａ２の内ヨーク位置決め部１６１が、当該２つの位置合わせ突起１３１、１３２の先端に外ヨーク位置決め部１６３が突き当たるまで嵌め込まれる。この状態で、図１９に拡大して示すように、スペーサエレメント１６ａ２の第１押え部１６２と第２押え部１６４とが、スペーサエレメント１６ａ１の第１押え部１６２と第２押え部１６４とに合わされて接着固定さる。これにより、第１平面ボイスコイル部１８１と第２平面ボイスコイル部１８２とを連結する第１連結バー１８５に中央部が固定された第１ダンパー２５の両端部が２つのスペーサエレメント１６ａ１、１６ａ２によって挟まれて固定される。
【００２８】
また、第２内ヨークの１３他方端部に形成された２つの位置合わせ突起１３３、１３４間に、スペーサエレメント１６ｂ２の内ヨーク位置決め部１６１が、当該２つの位置合わせ突起１３３、１３４の先端に外ヨーク位置決め部１６３が突き当たるまで嵌め込まれる。この状態で、前述したのと同様に、第２内ヨーク１３の位置合わせ突起１３３、１３４の間に嵌め込まれたスペーサエレメント１６ｂ２の第１押え部１６２と第２押え部１６４とが、第１内ヨーク１１の位置合わせ突起１１３、１１４の間に嵌め込まれたスペーサエレメント１６ｂ１の第１押え部１６２と第２押え部１６４とに合わされて接着固定される。これにより、第１平面ボイスコイル部１８１と第２平面ボイスコイル部１８２とを連結する第２連結バー１８６に中央部が固定された第１ダンパー２６の両端部が２つのスペーサエレメント１６ｂ１、１６ｂ２によって挟まれて固定される。
【００２９】
このようにして、第１内ヨーク１１及び第２内ヨーク１３の位置決めする２つのスペーサエレメント１６ａ１、１６ａ２（第１固定支持部材部分）で構成される第１固定支持部材１６０ａによって第１ダンパー１５が振動可能に固定支持されるとともに、同様に、第１内ヨーク１１及び第２内ヨーク１３を位置決めする２つのスペーサエレメント１６ｂ１、１６ｂ２（第２固定支持部材部分）で構成される第２固定支持部材１６０ｂによって第２ダンパー２６が振動可能に支持される。これにより、第１平面ボイスコイル部１８１及び第２平面ボイスコイル１８が第１連結バー１８５及び第２連結バー１８６によって連結された構造のボイスコイルユニット１８が、第１連結バー１８５に固定された第１ダンパー２５及び第２連結バー１８６に固定された第２ダンパー２６によって弾性支持される。
【００３０】
次に、図２０、図２０におけるＢ面でのＢａ−Ｂａ矢視断面図である図２１及び図２０におけるＣ面でのＣｃ−Ｃｃ矢視断面図である図２２に示すように、第１外ヨーク１４と第２外ヨーク１５とが、上述したように第１内ヨーク１１及び第２内ヨーク１３の位置決めとともにボイスコイルユニット１８に一体化される第１ダンパー２５及び第２ダンパー２６を振動可能に固定支持する第１固定支持部材１６０ａ（２つのスペーサエレメント１６ａ１、１６ａ２）及び第２固定支持部材１６０ｂ（２つのスペーサエレメント１６ｂ１、１６ｂ２）を挟むようにして配置される。これにより、第１内ヨーク１１、第２内ヨーク１３、磁石板１２、第１外ヨーク１４及び第２外ヨーク１５によって構成される磁気回路において、図２１に拡大して示すように、第１外ヨーク１４と第２外ヨーク１５とは、第１固定支持部材１６０ａを構成する２つのスペーサエレメント１６ａ１、１６ａ２の外ヨーク位置決め部１６３の両外側面に当接するとともに、第２固定支持部材１６０ｂを構成する２つのスペーサエレメント１６ｂ１、１６ｂ２の外ヨーク位置決め部１６３の両外側面に当接することにより、所定の間隔Ｌ２（図８Ａ、図８Ｂ参照）に位置規制される。
【００３１】
その結果、図２０乃至図２２とともに、図２３及び図２４に拡大して示すように、第１固定支持部材１６０ａ（２つのスペーサエレメント１６ａ１、１６ａ２）及び第２固定支持部材１６０ｂ（２つのスペーサエレメント１６ｂ１、１６ｂ２）の内ヨーク位置決め部１６１及び外ヨーク位置決め部１６３によって位置決めされる第１内ヨーク１１及び第２内ヨーク１３のそれぞれと第１外ヨーク１４との間に所定幅の第１磁気ギャップＧｐ１が形成される。また、第１内ヨーク１１及び第２内ヨーク１３のそれぞれと第２外ヨーク１５との間に所定幅の第２磁気ギャップＧｐ２が形成される。そして、第１固定支持部材１６０ａ及び第２固定支持部材１６０ｂによって固定支持された第１ダンパー２５及び第２ダンパー２６によって弾性支持されるボイスコイルユニット１８の第１平面ボイスコイル部１８１が、第１内ヨーク１１及び第２内ヨーク１３と第１外ヨーク１４との間に形成される第１磁気ギャップＧｐ１内に配置されるようになる。また、同様に、ボイスコイルユニット１８の第２平面ボイスコイル部１８２が、第１内ヨーク１１及び第２内ヨーク１３と第２外ヨーク１５との間に形成される第２磁気ギャップＧｐ２内に配置されるようになる。
【００３２】
そして、図２０乃至図２２に示す第１内ヨーク１１、第２内ヨーク１３、磁石板１２、第１外ヨーク１４、第２外ヨーク１５及び第１ダンパー２５及び第２ダンパー２６が一体化されたボイスコイルユニット１８の組み合わせ体に、図１及び図２に示すように、フレーム部材１７が装着される。フレーム部材１７は、底板部１７１によって前記組み合わせ体の底面を押えると共に、２つの側板部１７２、１７３によって前記組み合わせ体を側方から挟むことにより、前記組み合わせ体を固定する。
【００３３】
また、前記組み合わせ体における第１平面ボイスコイル部１８１の端縁辺を図７に示す振動板２０とエッジ部材１９ａとの境界辺に接合させるとともに、第２平面ボイスコイル部１８２の端縁辺を前記振動板２０とエッジ部材１９ｂとの境界辺に接合させる。そして、エッジ部材１９ａの振動板２０と逆側の端部がフレーム部材１７のエッジ受け部１７４に接着等によって固定されるとともに、エッジ部１９ｂの振動板２０と逆側の端部がフレーム部材１７のエッジ受け部１７５に接着等によって固定される。
【００３４】
このようにして各部品が組み立てられると、磁石板１２の着磁がなされる。磁石板１２が着磁されると、第１内ヨーク１１、第２内ヨーク１３、第１外ヨーク１４及び第２外ヨーク１５が磁石板１２に引き付けられて、それらは、第１固定支持部材１６０ａ（２つのスペーサエレメント１６ａ１、１６ａ２）及び第２固定支持部材１６０ｂ（２つのスペーサエレメント１６ｂ１、１６ｂ２）とともに更に強固に一体化される。この状態で、第１固定支持部材１６０ａ及び第２固定支持部材１６０ｂによって、ボイスコイルユニット１８（第１平面ボイスコイル部１８１、第２平面ボイスコイル部１８２）を弾性支持する第１ダンパー２５及び第２ダンパー２６の振動可能に固定された状態が維持されつつ、第１内ヨーク１１及び第２内ヨーク１３それぞれの一方の側端面と第１外ヨーク１４の板面との間の第１磁気ギャップＧｐ１と、第１内ヨーク１１及び第２内ヨーク１３それぞれの他方の側端面と第２外ヨーク１５の板面との間の第２磁気ギャップＧｐ２とが精度良く維持される。
【００３５】
前述したようにして組み立てられたスピーカ装置１０では、第１平面ボイスコイル部１８１の第１コイル線パターン１８３及び第２平面ボイスコイル部１８２の第２コイル線パターン１８４を流れる音声信号電流と、磁気回路中の第１磁気ギャップＧｐ１及び第２磁気ギャップＧｐ２に形成される磁界との相互作用により、第１ダンパー２５及び第２ダンパー２６によって弾性支持されるボイスコイルユニット１８全体が振動する。このボイスコイルユニット１８の振動によって両エッジ部材１９ａ、１９ｂによってフレーム部材１７に支持される振動板２０が振動し、前記音声電流信号に対応した音が出力される。
【００３６】
このような本発明の実施の形態に係るスピーカ装置では、第１平面ボイスコイル部１８１と第２平面ボイスコイル部１８２とが第１連結バー１８５と第２連結バー１８６とによって所定間隔に維持された状態でボイスコイルユニット１８として一体化され、第１固定支持部材１６０ａ（２つのスペーサエレメント１６ａ１、１６ａ２）が前第１連結バー１８５に固定された第１ダンパー２５を振動可能に固定支持するとともに第２固定支持部材１６０ｂ（２つのスペーサエレメント１６ｂ１、１６ｂ２）が第２連結バー１８６に固定された第２ダンパー２６を振動可能に固定支持することで、第１平面ボイスコイル部１８１が磁気回路の第１磁気ギャップＧｐ１に配置されるとともに第２平面ボイスコイル部１８２が磁気回路の第２磁気ギャップＧｐ２に配置される。このように、第１平面ボイスコイル部１８１と第２平面ボイスコイル部１８２とが第１連結バー１８５と第２連結バー１８６とによって所定間隔に維持された状態でボイスコイルユニット１８として一体化されるので、第１平面ボイスコイル部１８１と第２平面ボイスコイル部１８２との間隔（第１連結バー１８５及び第２連結バー１８６の長さに対応）を磁気回路における第１内ヨーク１１、第２内ヨーク１３と第１外ヨーク１４、第２外ヨーク１５とによって形成される第１磁気ギャップＧｐ１と第２磁気ギャップＧｐ２との間隔に合うように設定することにより、第１平面ボイスコイル部１８１及び第２平面ボイスコイル１８２（２つの平面状のボイスコイル）のそれぞれを容易に対応する磁気ギャップ（第１磁気ギャップＧｐ１及び第２磁気ギャップＧａｐ２）に位置合わせすることができる。また、ボイスコイルユニット１８として一体となる第１平面ボイスコイル部１８１と第２平面ボイスコイル部１８２とが、共通の第１ダンパー２５及び第２ダンパー２５によって弾性支持され、その第１ダンパー２５及び第２ダンパー２６が第１固定支持部材１６０ａ及び第２固定支持部材１６０ｂによって振動可能に固定支持されるので、ボイスコイルユニット１８として一体となる第１平面ボイスコイル部１８１及び第２平面ボイスコイル部１８２をバランス良く振動させることができる。
【００３７】
また、第１平面ボイスコイル部１８１と第２平面ボイスコイル部１８２とを連結する第１連結バー１８５に固定される第１ダンパー２５を振動可能に固定支持する第１固定支持部材１６０ａ（２つのスペーサエレメント１６ａ１、１６ａ２）及び第１平面ボイスコイル部１８１と第２平面ボイスコイル部１８２とを連結する第２連結バー１８６に固定される第２ダンパー２６を振動可能に固定支持する第２固定支持部材１６０ｂ（２つのスペーサエレメント１６ｂ１、１６ｂ２）によって、第１内ヨーク１１、第２内ヨーク１３、第１外ヨーク１４及び第２外ヨーク１５が、第１内ヨーク１１及び第２内ヨーク１３のそれぞれと前記第１外ヨーク１４との間に第１平面ボイスコイル部１８１が位置する第１磁気ギャップＧｐ１が形成されるとともに第１内ヨーク１１及び第２内ヨーク１３のそれぞれと第２外ヨーク１５との間に第２平面ボイスコイル部１８２が位置する第２磁気ギャップＧｐ２が形成されるように位置決めされるようになる。このため、第１平面ボイスコイル部１８１と第２磁気ギャップＧｐ１との相対的な位置関係及び第２平面ボイスコイル部１８２と第２磁気ギャップＧｐ２との相対的な位置関係が適正に維持される状態となるように第１内ヨーク１１、第２内ヨーク１３、第１外ヨーク１４及び第２外ヨーク１５の位置決めを容易に行うことができるようになる。
【００３８】
なお、前述したスピーカ装置２０では、２つの内ヨーク（第１内ヨーク１１、第２内ヨーク１３）が用いられていたが、１つの内ヨークを挟むように磁気的に結合された２つの外ヨーク（第１外ヨーク、第２外ヨーク）が配置されるような磁気回路を形成することも可能である。この場合、磁石板と、内ヨークと、該内ヨークの両側端面に対向する第１外ヨークと第２外ヨークとが、前記内ヨークと前記第１外ヨークとの間に第１磁気ギャップＧｐ１が形成されるとともに前記内ヨークと前記第２外ヨークとの間に第２磁気ギャップＧｐ２が形成されるように組み立てられて磁気回路が形成される。そして、このスピーカ装置は、第１平面ボイスコイル部と、該第１平面ボイスコイル部に平行に配置される第２平面ボイスコイル部とが、前記第１平面ボイスコイル部の一端部と前記第２平面ボイスコイル部の対応する端部とを連結する第１連結部材と、前記第１平面ボイスコイル部の他端部と前記第２平面ボイスコイル部の対応する端部とを連結する第２連結部材とによって一体化された構造となるボイスコイルユニットと、前記第１連結部材に固定されて前記ボイスコイルユニットを弾性支持する第１ダンパーと、前記第２連結部材に固定されて前記第１ダンパーとともに前記ボイスコイルユニットを弾性支持する第２ダンパーと、前記第１平面ボイスコイル部が前記第１磁気ギャップＧｐ１に位置するとともに前記第２平面ボイスコイル部が前記第２磁気ギャップＧｐ２に位置する状態で前記第１ダンパーを振動可能に固定支持する第１固定支持部材と、前記状態で前記第２ダンパーを振動可能に支持する第２固定支持部材とを有し、前記ボイスコイルユニットの前記磁気回路内での振動により振動板を振動させるように構成される。
【産業上の利用可能性】
【００３９】
本発明に係るスピーカ装置は、２つの平面状のボイスコイルのそれぞれを容易に対応する磁気ギャップに位置合わせすることが可能であるとともに、その２つの平面状のボイスコイルをバランス良く振動させることができるという効果を有し、平面状のボイスコイルを用いたスピーカ装置として有用である。
【符号の説明】
【００４０】
１０  スピーカ装置
１１  第１内ヨーク
１１１、１１２、１１３、１１４  位置決め突起
１２  磁石板
１３  第２内ヨーク
１３１、１３２、１３３、１３４  位置決め突起
１４  第１外ヨーク
１５  第２外ヨーク
１６、１６ａ１、１６ａ２、１６ｂ１、１６ｂ２  スペーサエレメント
１６０ａ  第１固定支持部材
１６０ｂ  第２固定支持部材
１６１  内ヨーク位置決め部
１６２  第１押え部
１６３  外ヨーク位置決め部
１６４  第２押え部
１７  フレーム部材
１８  ボイスコイルユニット
１８１  第１平面ボイスコイル部
１８２  第２平面ボイスコイル部
１８３  第１コイル線パターン
１８４  第２コイル線パターン
１８５  第１連結バー
１８６  第２連結バー
１９ａ、１９ｂ  エッジ部材
２０  振動板
２５  第１ダンパー
２６  第２ダンパー
【図１】
0005586097.tif 000002
【図２】
0005586097.tif 000003
【図３】
0005586097.tif 000004
【図４】
0005586097.tif 000005
【図５】
0005586097.tif 000006
【図６】
0005586097.tif 000007
【図７】
0005586097.tif 000008
【図８Ａ】
0005586097.tif 000009
【図８Ｂ】
0005586097.tif 000010
【図９】
0005586097.tif 000011
【図１０】
0005586097.tif 000012
【図１１】
0005586097.tif 000013
【図１２】
0005586097.tif 000014
【図１３】
0005586097.tif 000015
【図１４】
0005586097.tif 000016
【図１５】
0005586097.tif 000017
【図１６】
0005586097.tif 000018
【図１７】
0005586097.tif 000019
【図１８】
0005586097.tif 000020
【図１９】
0005586097.tif 000021
【図２０】
0005586097.tif 000022
【図２１】
0005586097.tif 000023
【図２２】
0005586097.tif 000024
【図２３】
0005586097.tif 000025
【図２４】
0005586097.tif 000026